(57)【要約】【課題】安価で提供することができ、使用しない状態では体積を取ることがなく、初めて使用する使用者が簡便に適用することができるような気道確保装置を提供する。【解決手段】応急処置において使用される気道確保装置であって、気体を導入することによって形状を変化させる素材からなる上体固定部を有し、上記上体固定部は、保管時において圧縮された状態であり、使用時に気体を導入することで頭部固定部位と背中部固定部位を有する形状に変形する気道確保装置。【選択図】図４
2014161584.tif 000002
【特許請求の範囲】
【請求項１】
応急処置において使用される気道確保装置であって、
気体を導入することによって形状を変化させる素材からなる上体固定部を有し、
上記上体固定部は、保管時において圧縮された状態であり、使用時に気体を導入することで頭部固定部位と背中部固定部位を有する形状に変形することを特徴とする気道確保装置。
【請求項２】
上記上体固定部は、気密性を有する素材からなる袋体からなり、
保管時は内部に空気が存在せず折りたたまれた状態であり、
使用時においては、空気を導入して膨張させることによって、頭部固定部位と背中部固定部位を有する形状に変形する請求項１記載の気道確保装置。
【請求項３】
上記上体固定部は、気密性を有する素材からなる密閉された袋体及び当該袋体内に封入された弾性を有する樹脂発泡体からなり、
保管時においては、前記袋体中の空気を除去することによって圧縮された状態であり、
使用時においては、袋体の一部を開封して空気を導入することによって、頭部固定部位と背中部固定部位を有する形状に変形する請求項１記載の気道確保装置。
【請求項４】
上記上体固定部は、使用時に頭部固定部位底面より背中部固定部位底面が高い位置となる形状を有する請求項１，２又は３記載の気道確保装置。
【発明の詳細な説明】
【技術分野】
【０００１】
本発明は、応急処置において使用される気道確保装置に関する。
【背景技術】
【０００２】
意識レベルが低下した人への応急処置として人工呼吸が行われる場合がしばしば発生する。特に近年はＡＥＤ（自動体外式除細動器）が駅、空港、ホテル等の公共の場に設置されるようになっている。ＡＥＤの使用に際しては、同時に人工呼吸や心臓マッサージを行うことが必要とされる。
【０００３】
しかしながら、意識レベルが低下した人では、筋肉が弛緩し舌根が後方（背側）に落ち込む舌根沈下が生じ、上気道の閉塞が起こる場合がある。このような状態のまま人工呼吸を行っても、充分に効果を得ることができない。そこで、呼吸のための換気路を確保するために、頚椎に損傷が疑われない際の救命措置として頭部後屈顎先挙上法が広く用いられている。頭部後屈顎先挙上法は、要救助者を仰臥位とし、救助者が、片手を要救助者の額にあて、もう片方の手の人差指と中指の２本をあご先にあて、これを持ち上げて頭部だけを平行に挙上させることで、気道を確保する方法である。このときの要救助者の頭位は「嗅ぐ姿勢(sniffing position)」といわれている。
【０００４】
嗅ぐ姿勢での気道確保がうまくできている場合には、門歯から声門までの通路がほぼ直線となるように、口腔、咽頭、喉頭、及び気管の軸が直線上に合わされる。しかしながら、このような気道確保を安全且つ有効に行うには、十分な訓練と経験が必要である。現実の応急処置においては、専門家でない人がこのような気道確保を行う必要がある。このことは容易ではなく、気道確保がうまくできていないために、要救助者に対する効果的な応急処置を行うことができない場合がある。そこで、現在までに、頭部後屈時の気道確保を容易に行うことができるように支援するための種々の気道確保装置が検討されている。
【０００５】
例えば、特許文献１には、箱上に形成され、頭部と後頸部とを支持することによって要救助者の姿勢を嗅ぐ姿勢に保つ気道確保補助具が開示されている。しかし、当該補助具は、箱状に形成されたものであり、かなりの大きさを持ったものとなり、装置として高額なものとなってしまう。このため、救護装置として公共の場所に多数設置することは困難であることから、汎用性に乏しい。また、このような応急処置を行うのは、医師等の専門家だけではなく、通行人等の一般人であることも多い。このため、使用方法が複雑であると、適切に気道確保をすることができなくなってしまう。このため、更に短時間で簡便に使用できるような気道確保装置であることが必要である。
【０００６】
また、公共の場において多く設置されているＡＥＤの使用時の補助具として気道確保装置を使用する場合、設置場所のスペースが小さく、誰でも簡単に使用することができ、できるだけ安価で気軽に使用できるものであることが望まれる。しかしこのような気道確保装置は知られていない。
【先行技術文献】
【特許文献】
【０００７】
【特許文献１】特開２０１１−１５５４９号公報
【発明の概要】
【発明が解決しようとする課題】
【０００８】
本発明は、上記に鑑み、安価で提供することができ、使用しない状態では体積を取ることがなく、初めて使用する使用者が簡便に適用することができるような気道確保装置を提供することを目的とするものである。
【課題を解決するための手段】
【０００９】
本発明は、応急処置において使用される気道確保装置であって、気体を導入することによって形状を変化させる素材からなる上体固定部を有し、上記上体固定部は、保管時において圧縮された状態であり、使用時に気体を導入することで頭部固定部位と背中部固定部位を有する形状に変形することを特徴とする気道確保装置である。
【００１０】
上記上体固定部は、気密性を有する素材からなる袋体からなり、保管時は内部に空気が存在せず折りたたまれた状態であり、使用時においては、空気を導入して膨張させることによって、頭部固定部位と背中部固定部位を有する形状に変形するものであることが好ましい。
【００１１】
上記上体固定部は、気密性を有する素材からなる密閉された袋体及び当該袋体内に封入された弾性を有する樹脂発泡体からなり、保管時においては、前記袋体中の空気を除去することによって圧縮された状態であり、使用時においては、袋体の一部を開封して空気を導入することによって、頭部固定部位と背中部固定部位を有する形状に変形するものであることが好ましい。
【００１２】
上記上体固定部は、使用時に頭部固定部位底面より背中部固定部位底面が高い位置となる形状を有することが好ましい。
【発明の効果】
【００１３】
本発明の気道確保装置は、保管においてスペースを取ることがなく、使用に際しての操作も極めて簡便であることから、公共の場への設置が容易であり、かつ、専門家以外であっても容易に使用することができる。更に、安価であることから、コストという観点においても優れたものである。更に、主要部品である上体固定部は使い捨てとすることができるため、衛生的にも優れたものである。
【図面の簡単な説明】
【００１４】
【図１】本発明の気道確保装置において使用する上体固定部の使用時の形状を頭頂部より観察した状態を示す図面である。
【図２】本発明の気道確保装置において使用する上体固定部の使用時の形状を上から観察した状態を示す図面である。
【図３】本発明の気道確保装置において使用する上体固定部の断面図を示す図面である。
【図４】本発明の気道確保装置において使用する上体固定部の形状を示す斜視図である。
【図５】本発明の気道確保装置において補助具を使用する状態を示す模式図である。
【図６】本発明の気道確保装置の一例における保管時から使用時への形状の変化を示す図である。
【図７】本発明の気道確保装置の一例における保管時から使用時への形状の変化を示す図である。
【発明を実施するための形態】
【００１５】
以下、本発明を詳細に説明する。
本発明は、要救助者に「嗅ぐ姿勢」を取らせるための補助具であり、保管時は体積が小さい状態であり、使用時に膨らませることで所定の形状のものとして使用するものである。これによって、保管時の場所を大きく取る必要がない。更に、使用者は補助具に空気を導入するための操作を行うのみで良いことから、使用が簡便であり、複雑な操作は不要である。更に、上記上体固定部を安価な素材によって形成することができるため、コスト上有利である。更に、上記上体固定部を使い捨てとすることができることから、衛生上も優れたものである。
【００１６】
本発明の気道確保装置は、上体固定部を有する。すなわち、立体的形状によって上体を「嗅ぐ姿勢」と呼ばれる気道が確保された体勢に固定することができるものである。当該上体固定部の形状としては、頭部を上を向いた状態で固定し、更に背中上部を高い位置に保持することで気道を確保することができる姿勢であることが必要である。具体的には、図１〜４に示したように、頭部固定部１と背中部固定部２とを有する形状であることが必要である。
【００１７】
図１〜図４において上記頭部固定部１は、要救助者３の頭部３ａを固定して嗅ぐ姿勢に必要な位置で固定するための部位として示されており、当該頭部固定部１は、両脇から頭部３ａを固定することができる形状である。図１~図４において示した形状は、両脇から頭部３ａを挟持することで固定する形状であるが、頭部３ａを所定の位置に固定できる形状であれば特に限定はされない。
【００１８】
図１〜図４において上記背中部固定部位２は、要救助者３の胴部３ｂにおいて背中部を高い位置として、これによって肩の位置を腰よりも高く保持し、頭部３ａの位置とのバランスを取ることによって、自然に嗅ぐ姿勢とするものである。
【００１９】
頭部固定部１と背中部固定部２は、頭部固定部の底部よりも背中部固定部２の底部よりも高い位置にあることが好ましい。すなわち、仰向けの状態で背中が頭より高い位置になるように構成すると、これによって要救助者が自然に気道が確保された「嗅ぐ姿勢」の状態になる。
これによって要救助者は、気道が確保された姿勢に固定される。よって、人工呼吸等の応急処置を最も好適な姿勢で受けることができる。
【００２０】
上記上体固定部は、頭部固定部と背中部固定部とを有するが、図１〜４に示したようにこれらを一体化して全体として一個のもので構成してもよいし、頭部固定部と背中部固定部とをそれぞれ別個の袋体によって形成して、使用時にこれらを組み合わせて使用するものであってもよい。
【００２１】
また、図５に示したように、使用時には要救護者の体型に応じて頭部が固定できるように、補助体１０を挟んで使用できるものであってもよい。すなわち、要救護者が小児で頭部が小さい場合には、大人と同じ用具によって気道確保することが困難になる場合がある。この場合を想定して、補助具１０を本発明の気道確保装置とともに保管しておき、図５に示したように使用時にこれを使用して頭部の固定状態を調整することもできる。
【００２２】
本発明の気道確保装置は、使用時においては図１〜４に示したような要救助者３が「嗅ぐ姿勢」を取るための補助具としての形状を有するが、保管時においては圧縮されたコンパクトな形状を有するものである。これによって、保管時における省スペース化を図ることができるものである。
【００２３】
このように、使用時において使用時において気体を導入することによって頭部固定部位１と背中部固定部位２を有する形状にするための素材としては特に限定されるものではないが、例えば、上体固定部を気密性を有する素材からなる袋体によって形成し、使用時に空気を吹き込むことによって膨らませて使用する態様（以下、これを第１の態様とする）、気密性を有する素材からなる密閉された袋体及び当該袋体内に封入された弾性を有する樹脂発泡体からなり、保管時においては、前記袋体中の空気を除去することによって圧縮された状態であり、使用時においては、袋体の一部を開封することで空気を導入する態様（以下、これを第２の態様とする）等を挙げることができる。
以下、これらの態様について具体的に説明する。
【００２４】
まず、第１の態様について、図６に示した。図６においては、保管状態において上体固定部は空気が充填されず、折りたたまれた袋の状態である。この状態の上体固定部を形成する袋体４に対して、気体を導入することで膨らませて、所定の形状を形成する。したがって、第１の態様においては、上記袋体４に加えて、空気導入手段を備えたものである。
上記空気導入手段は特に限定されず、例えば、図６に示したように圧縮空気を充填したボンベ等の圧縮空気保管部５と袋体４とを連結させて、使用時にその間に設けられた圧縮空気導入バルブ６を開くことによって空気を注入する方法、少量の爆薬を爆発させて空気を発生させる方法等の公知の方法を挙げることができる。
【００２５】
空気導入に際しては、できるだけ簡便な方法によって操作が行われることが好ましい。すなわち、本発明の気道確保装置は、専門家ではない一般の通行人が使用することが想定されるため、操作が複雑になってしまうと、好適に使用することができないおそれがある。よって、例えば、単純なボタン操作によって、必要量の空気のみを上体固定部に対して送り込むような空気導入手段を使用することが好ましい。
【００２６】
上記第１の態様においては、袋体は気密性を有する素材からなるものである。気密性を有する素材としては特に限定されず、織布や編布に対して気密化処理を施したものや、樹脂製フィルムからなるものを挙げることができる。またこれらのシート状素材を積層して得られたものであってもよい。袋体は、接着剤による接着、ヒートシール、縫製等の公知の任意の方法によって得られたものであってよい。
【００２７】
上記第１の態様においては、必要に応じてクッション部材を貼着したものであってもよい。特に頭部や胴体と直接接する箇所において、当該クッション部材を貼着してもよい。特に、ＡＥＤを使用する場合においては、ショックで上体が激しく動く場合がある。その際に、頭を強打する等することで負傷するおそれがある。このような問題を改善することができる点で、クッション部材を使用することが好ましい。
【００２８】
上記クッション部材としては特に限定されず、例えば、樹脂発泡体、不織布、織布、編布等、柔軟で一定の弾性力を有するものであれば特に限定されない。
【００２９】
上記第１の態様において、要救助者の体型と空気導入後の上体固定部の形状が一致しない場合には、空気を除去して形状を調整できる形態として使用してもよい。上体の形状は人によって異なるため、上記「嗅ぎ姿勢」とするために最適な上体固定部の形状は人によって異なる。よって、同一の上体固定部を使用した場合でも、要救護者の体型に応じて、空気の導入量を変化させて、使用することができる。この場合、一旦導入した空気を除去するための排出口を別途設けてもよいし、導入口に空気を排出する機能も持たせたものであってもよい。
【００３０】
第２の態様については、図７に示した。図７においては、保管状態において弾性体からなる上体固定部８は圧縮されて密閉された袋体７中に収納されている。このような状態のものとする方法は特に限定されず、例えば、弾性を有する樹脂発泡体を成形し、これを気密性を有する素材からなる袋体中に内填させ、脱気後、口部のシールを行うことによって得ることができる。
【００３１】
弾性を有する樹脂発泡体は、公知のポリウレタンフォームを所定の形状にしたもの等を使用することができる。上記気密性を有する素材からなる袋体としては特に限定されず、ポリエチレン袋等の公知の樹脂性袋体を使用することができる。また、必要に応じて、ポリビニルアルコール層等のガスバリア層を有する積層体からなる袋体を使用してもよい。
【００３２】
上記第２の態様において使用する気密性を有する素材からなる袋体７は、その形状を特に限定されるものではなく、目的とする上体固定部と同一の形状であってもよいし、通常の袋形状としてもよい。
【００３３】
使用時においては、上記気密性を有する素材からなる袋体の一部において孔をあけて、空気を導入させる。すると、弾性を有する樹脂発泡体が本来の形状に戻ることになる。これによって必要とされる上体固定部形状に変形する。空気の導入は、上記気密性を有する素材からなる袋体の内部と連結した空気導入口９を接続し、当該空気導入口９を切断することによって行うものであってもよい。
【００３４】
また、上記第２の態様において、所定形状を得るための時間を短縮したり、使用時の使用感をより好適なものとしたりするために、第１の態様のように空気導入手段を連結し、使用時に空気を導入するものとしてもよい。これによって、使用時に短時間で所定の上体固定部の形状とすることができる。更に、使用時において、形状を内部の弾性体で形成していることから、上記第１の態様よりも、強固に形状を維持することができ、丈夫なものになる点でも好ましい。
【００３５】
上記第２の態様においても、第１の態様と同様、使用時に際して空気の導入量を調整することによって、形状を調製することができるようにしてもよい。例えば、吸引ポンプを連結して、空気導入後に必要に応じて再度空気を吸引することで、空気量を減らす方法等が挙げられる。これによって、上記上体固定部を要介護者の体型にあわせたものとして、使用できる点で好ましい。
【産業上の利用可能性】
【００３６】
本発明の気道確保装置は、専門家でない一般人が気道確保をする際に使用することができるものであり、例えば、ＡＥＤの補助具等として使用することができる。
【符号の説明】
【００３７】
１  頭部固定部
２  背中部固定部
３  要救助者
３ａ  頭部
３ｂ  胴部
４  袋体
５  圧縮空気保管部
６  圧縮空気導入バルブ
７  袋体
８  弾性体からなる上体固定部
９  空気導入口
１０  補助具
【図１】
2014161584.tif 000003
【図２】
2014161584.tif 000004
【図３】
2014161584.tif 000005
【図４】
2014161584.tif 000006
【図５】
2014161584.tif 000007
【図６】
2014161584.tif 000008
【図７】
2014161584.tif 000009